(57)【要約】【課題】高い接着強度を得ることができると共に、確実にインク漏れを防止することのできるインクジェットヘッドのマニホールド、これを有するインクジェットヘッド及びインクジェットヘッドの製造方法を提供すること。【解決手段】インクへ与える圧力変化を発生させるチャネル１２ａ、１２ｂを並列したアクチュエータ１０に接着して各チャネル１２ａ、１２ｂへのインクを分配する共通インク室２１ａ、２１ｂを形成するインクジェットヘッドのマニホールド２０ａ、２０ｂにおいて、前記アクチュエータ１０との接触面に、前記アクチュエータ１０との間で形成される共通インク室２１ａ、２１ｂを完全に囲むように溝を凹設すると共に、該溝の内部から前記アクチュエータ１０との接触面以外の面に亘って貫通する接着剤注入用の貫通穴２４ａ、２４ｂを形成してなることを特徴とするインクジェットヘッドのマニホールド。【選択図】        図１
2005096149.tif 000002
【特許請求の範囲】
【請求項１】
インクへ与える圧力変化を発生させるチャネルを並列したアクチュエータに接着して各チャネルへのインクを分配する共通インク室を形成するインクジェットヘッドのマニホールドにおいて、
前記アクチュエータとの接触面に、前記アクチュエータとの間で形成される共通インク室を完全に囲むように溝を凹設すると共に、該溝の内部から前記アクチュエータとの接触面以外の面に亘って貫通する接着剤注入用の貫通穴を形成してなることを特徴とするインクジェットヘッドのマニホールド。
【請求項２】
前記溝は複数本あり、前記貫通穴は少なくとも1本の溝に繋がっていることを特徴とする請求項１記載のインクジェットヘッドのマニホールド。
【請求項３】
インクへ与える圧力変化を発生させるチャネルを並列したアクチュエータと、前記アクチュエータに接着して各チャネルへのインクを分配する共通インク室を形成するマニホールドとを備え、各チャネルで圧力変化を発生させて各チャネルに対応するノズルからインクを吐出するインクジェットヘッドにおいて、
前記マニホールドには、前記アクチュエータとの接触面に、前記アクチュエータとの間で形成される共通インク室を完全に囲むように溝が凹設されていると共に、該溝の内部から前記アクチュエータとの接触面以外の面に亘って貫通する接着剤注入用の貫通穴が形成されていることを特徴とするインクジェットヘッド。
【請求項４】
前記溝は複数本あり、前記貫通穴は少なくとも1本の溝に繋がっていることを特徴とする請求項３記載のインクジェットヘッド。
【請求項５】
前記貫通穴から前記溝内に注入された接着剤によって前記アクチュエータと前記マニホールドとが接着されていることを特徴とする請求項３又は４記載のインクジェットヘッド。
【請求項６】
前記溝の一部は、前記アクチュエータの各チャネルに圧力変化を発生させるための電圧印加用の電極部と間隔をおいて対面しており、前記貫通穴から前記溝内に注入された接着剤の一部が前記電極部との間隔を埋めることで、前記電極部の一部が絶縁されていることを特徴とする請求項３、４又は５記載のインクジェットヘッド。
【請求項７】
インクへ与える圧力変化を発生させるチャネルを並列したアクチュエータと、前記アクチュエータに接着して各チャネルへのインクを分配する共通インク室を形成するマニホールドとを備え、各チャネルで圧力変化を発生させて各チャネルに対応するノズルからインクを吐出するインクジェットヘッドの製造方法において、
前記マニホールドにおける前記アクチュエータとの接触面に、前記アクチュエータとの間で形成される共通インク室を完全に囲むように溝を凹設すると共に、該溝の内部から前記アクチュエータとの接触面以外の面に亘って貫通する接着剤注入用の貫通穴を形成し、このマニホールドをアクチュエータに接触させて位置決めした後、前記貫通穴に接着剤を注入して前記溝内に接着剤を充填し、前記アクチュエータと前記マニホールドとを接着することを特徴とするインクジェットヘッドの製造方法。
【請求項８】
前記溝は複数本あり、前記貫通穴は少なくとも1本の溝に繋がっていることを特徴とする請求項７記載のインクジェットヘッドの製造方法。
【請求項９】
前記溝の一部は前記アクチュエータの各チャネルに圧力変化を発生させるための電圧印加用の電極部と間隔をおいて対面しており、前記貫通穴から前記溝内に注入された接着剤の一部が前記電極部との間隔を埋めることで、前記電極部の一部を絶縁することを特徴とする請求項７又は８記載のインクジェットヘッドの製造方法。
【発明の詳細な説明】
【技術分野】
【０００１】
本発明は、記録媒体に対してインクを吐出することにより所望の画像を記録するインクジェットヘッドにおいて、インクへ与える圧力変化を発生させるチャネルを並列したアクチュエータに接着して各チャネルへのインクを分配する共通インク室を形成するインクジェットヘッドのマニホールド、これを有するインクジェットヘッド及びインクジェットヘッドの製造方法に関する。
【背景技術】
【０００２】
複数のチャネルを並列したインクジェットヘッドでは、各チャネルで圧電素子や発熱素子等の作用により圧力変化を発生させて該チャネル毎に設けたノズルからインクを吐出するアクチュエータにマニホールドを設けてインクを各チャネルに分配するための共通インク室を形成している。
【０００３】
マニホールドは圧電セラミックのアクチュエータ本体に直接接着されるが、その目的は、マニホールドをアクチュエータ本体に固く取り付ける事と、マニホールドとアクチュエータの継ぎ目からインクが漏れることを防ぐためである。
【０００４】
通常の接着では接着しようとする２物体の表面を研磨して、洗浄し、一方、あるいは、両方の接着面に接着剤を塗布して、しかる後に接着面を張り合わせて接着を行っている。
【０００５】
マニホールドをアクチュエータに固く取り付け、且つ、インク漏れを防ぐため、接着面の全面に接着剤を塗布して、減圧等で混入した気泡を取り除いてから、被接着物同士を正確に位置合わせして、仮固定してから、加圧接合し、更に、加熱硬化される。
【０００６】
このため、マニホールドとアクチュエータを接着する場合、インク漏れが起こらない様に、接着面に高い圧力を掛けて接着剤を押し広げる必要があるので、接着面からはみ出した接着剤がチャネルを塞いでしまう危険がある。また、余剰の接着剤が、マニホールド内部に流れ出し、インク流路を狭めたり、ノズルに流入して、ノズルを閉塞させる恐れがある。特に、エポキシ接着剤は、硬化時加熱すると粘度が急低下して接着面から流れ出し易いため、室温で加圧したときは、流れ出しは起こらなくとも、加熱すると必ず流れ出してしまう。接着剤の使用量が多いと、硬化時、インク流路に流れ出し易く、使用量が少ないと、流れ出にくいが、接着不良による、被接着物の剥離やインク漏れを起こし易い。
【０００７】
インクジェットインクには、有機溶剤、界面活性剤が多量に含まれており、接着剤を溶解し易いので、接着剤の使用量が少ないと接着強度が低下し易い。更に、インク流路に流れ出して固まった接着剤の一部が溶解されて、微小な塊となり、これがインク流路を詰まらせる恐れがある。また、接着剤を塗布してから精密な位置合わせして接合することは極めて難しい。
【０００８】
このようなトラブルを回避するため、被接着物の接着面の一方又は両方に溝を形成し、この溝の中に接着剤を充填して接着する方法が行われる。この方法では、被接着物を、接着剤がない状態で重ね合わせてから溝に接着剤を注入するので、精密な位置合わせが可能になる。また、溝の中に接着剤が均一に浸入できれば、インク漏れを完全に防ぐことができる。また、接着剤には、ディスペンサーの圧力が掛かるだけで、強い圧力が掛からないので、インク流路へのはみ出しを防ぐことができる。この様に接着面に溝を形成して、被接着物を位置合わせしてから溝に接着剤を充填する方法は公知となっており、例えば、特許文献１〜４に記載されている。
【０００９】
また、特許文献５には、被接着面に溝を形成して、この溝に接着剤を充填して、被接着物を重ねることが記載され、また、特許文献６、７には、被接着面に溝を形成して、この中に毛管力で接着剤を充填することが記載されている。
【００１０】
更に、特許文献８には、マニホールドとアクチュエータとの接触面からマニホールドの該接触面以外の面まで連通する接着剤注入溝を設け、このマニホールドをアクチュエータに位置合わせした後、接着剤注入溝からマニホールドとアクチュエータとの接触面に向けて接着剤注入針を挿入し、溝に沿って移動させながら接着剤を注入していくことにより、接着剤の塗着部位を接着剤注入溝内に規制するようにした技術が提案されている。
【特許文献１】特開平７−１５６４０４号公報
【特許文献２】特開平８−５８０７８号公報
【特許文献３】特開平８−５８０９７号公報
【特許文献４】特開平８−３００６５６号公報
【特許文献５】特開平１１−１３８８１４号公報
【特許文献６】特開平６−１９０３０７号公報
【特許文献７】特開平６−２２６９７７号公報
【特許文献８】特開２００１−３１５３４２号公報
【発明の開示】
【発明が解決しようとする課題】
【００１１】
特許文献１〜５は、溝に充填する接着剤がシリコン系の充填材である。シリコン系充填材は、耐インク性は十分に高いが、接着部の機械的強度が弱く、シリコン系充填で接着したインクジェットヘッドは、キャリッジに搭載して急激な加減速を繰り返すと、剥離してしまう。シリコン系充填材は、インク漏れやインク漏れによるインクの混合を防止するには極めて有効であるが、接着強度が弱いため、使用はインク流路の周りに止め、その他の部分は、エポキシ接着剤を使用して補強しなければ、接着強度を保てない欠点がある。
【００１２】
特許文献６、７は、ノズル板に溝を設けて、アクチュエータと接着する例であるが、接着剤を毛管力により浸透させる方法なので、粘度の低い接着剤しか使用できない欠点がある。粘度の低い接着剤は、分子量が低く、高い接着強度を得ることができない。
【００１３】
特許文献８に記載の技術によれば、接着剤の塗着部位が接着剤注入溝内に規制されることで、接着面からの共通インク室側への接着剤のはみ出しを抑えることができるが、接着剤注入溝に注入した接着剤を重力により接着面まで自然流下させるようにしており、硬化と共に過渡的に粘度が変化する接着剤に対しては接着剤注入溝内への接着剤の注入量を制御することが難しい。
【００１４】
また、この特許文献８に記載の技術では、接着剤注入用の溝があるのみで他に接着剤の逃げ場になる部分がないため、接着剤注入量が多くなってしまった場合には接着剤は外へはみ出るか、毛管力によって内部へ浸透していくしかないため接着剤注入量の制御が難しい。
【００１５】
更に、特許文献８には、接着剤注入溝内の所定の高さ位置に注入目印線を設け、接着剤がこの注入目印線に達したことを注入作業者が目視確認した時に接着剤注入針をリリースさせて注入作業を停止することで、所定量の注入を行うようにすることが記載されているが、接着剤注入溝毎に確認作業を行う必要があるために、接着剤注入作業が煩雑なものとなる問題がある上に、接着剤の注入量を目視確認できる程度にまで注入する必要があるため、接着剤が必要以上に消費される問題もある。
【００１６】
そこで、本発明は、高い接着強度を得ることができると共に、確実にインク漏れを防止することのできるインクジェットヘッドのマニホールド、これを有するインクジェットヘッド及びインクジェットヘッドの製造方法を提供することを課題とする。
【００１７】
本発明の他の課題は、以下の記載により明らかとなる。
【課題を解決するための手段】
【００１８】
上記課題は、以下の各発明によって解決される。
【００１９】
請求項１記載の発明は、インクへ与える圧力変化を発生させるチャネルを並列したアクチュエータに接着して各チャネルへのインクを分配する共通インク室を形成するインクジェットヘッドのマニホールドにおいて、前記アクチュエータとの接触面に、前記アクチュエータとの間で形成される共通インク室を完全に囲むように溝を凹設すると共に、該溝の内部から前記アクチュエータとの接触面以外の面に亘って貫通する接着剤注入用の貫通穴を形成してなることを特徴とするインクジェットヘッドのマニホールドである。
【００２０】
請求項２記載の発明は、前記溝は複数本あり、前記貫通穴は少なくとも1本の溝に繋がっていることを特徴とする請求項１記載のインクジェットヘッドのマニホールドである。
【００２１】
請求項３記載の発明は、インクへ与える圧力変化を発生させるチャネルを並列したアクチュエータと、前記アクチュエータに接着して各チャネルへのインクを分配する共通インク室を形成するマニホールドとを備え、各チャネルで圧力変化を発生させて各チャネルに対応するノズルからインクを吐出するインクジェットヘッドにおいて、前記マニホールドには、前記アクチュエータとの接触面に、前記アクチュエータとの間で形成される共通インク室を完全に囲むように溝が凹設されていると共に、該溝の内部から前記アクチュエータとの接触面以外の面に亘って貫通する接着剤注入用の貫通穴が形成されていることを特徴とするインクジェットヘッドである。
【００２２】
請求項４記載の発明は、前記溝は複数本あり、前記貫通穴は少なくとも1本の溝に繋がっていることを特徴とする請求項３記載のインクジェットヘッドである。
【００２３】
請求項５記載の発明は、前記貫通穴から前記溝内に注入された接着剤によって前記アクチュエータと前記マニホールドとが接着されていることを特徴とする請求項３又は４記載のインクジェットヘッドである。
【００２４】
請求項６記載の発明は、前記溝の一部は、前記アクチュエータの各チャネルに圧力変化を発生させるための電圧印加用の電極部と間隔をおいて対面しており、前記貫通穴から前記溝内に注入された接着剤の一部が前記電極部との間隔を埋めることで、前記電極部の一部が絶縁されていることを特徴とする請求項３、４又は５記載のインクジェットヘッドである。
【００２５】
請求項７記載の発明は、インクへ与える圧力変化を発生させるチャネルを並列したアクチュエータと、前記アクチュエータに接着して各チャネルへのインクを分配する共通インク室を形成するマニホールドとを備え、各チャネルで圧力変化を発生させて各チャネルに対応するノズルからインクを吐出するインクジェットヘッドの製造方法において、前記マニホールドにおける前記アクチュエータとの接触面に、前記アクチュエータとの間で形成される共通インク室を完全に囲むように溝を凹設すると共に、該溝の内部から前記アクチュエータとの接触面以外の面に亘って貫通する接着剤注入用の貫通穴を形成し、このマニホールドをアクチュエータに接触させて位置決めした後、前記貫通穴に接着剤を注入して前記溝内に接着剤を充填し、前記アクチュエータと前記マニホールドとを接着することを特徴とするインクジェットヘッドの製造方法である。
【００２６】
請求項８記載の発明は、前記溝は複数本あり、前記貫通穴は少なくとも1本の溝に繋がっていることを特徴とする請求項７記載のインクジェットヘッドの製造方法である。
【００２７】
請求項９記載の発明は、前記溝の一部は前記アクチュエータの各チャネルに圧力変化を発生させるための電圧印加用の電極部と間隔をおいて対面しており、前記貫通穴から前記溝内に注入された接着剤の一部が前記電極部との間隔を埋めることで、前記電極部の一部を絶縁することを特徴とする請求項７又は８記載のインクジェットヘッドの製造方法である。
【発明の効果】
【００２８】
本発明によれば、共通インク室の周囲を完全に取り囲む溝を設け、その溝に繋がる貫通穴をあけて、マニホールドとアクチュエータを重ねて、位置合わせし、穴からディスペンサーにて、接着剤を注入することで、チャネルを接着剤で塞ぐ危険を排除し得ると共に、マニホールドをアクチュエータに強固に接着し、インク漏れを防ぐことができる。
【００２９】
また、マニホールドをアクチュエータに接着するに際し、チャネルを接着剤で塞ぐ危険を排除し得ると共に、接着剤注入量の許容幅が広く、必要最小限の接着剤の注入により容易に接着を行うことができる。
【００３０】
更に、接着剤の注入を貫通穴に対して一方向から行うことができるため、オートメーション化の際にも有利である。
【００３１】
また、溝を複数本とすることで、接着強度が高く、インク漏れを防ぐ効果をより高めることができる。たとえ複数本の内の何本かの溝の中に接着剤が完全に充填されないことがあっても、接着強度が高く、インク漏れを起こしにくい。
【発明を実施するための最良の形態】
【００３２】
図１は、本発明に係るインクジェットヘッドの一実施形態を示す断面図、図２はその分解斜視図、図３は図１における(iii)-(iii)線に沿う部分断面図、図４はマニホールドの底面図、図５はマニホールドの接着作業を説明する図である。
【００３３】
図１及び図２において、アクチュエータ１０は、印字用のノズル１１ａ、１１ｂを有するチャネル１２ａ、１２ｂを多数並列した圧電性セラミックを主体として構成され、このアクチュエータ１０の上面及び下面に、それぞれ第１マニホールド２０ａと第２マニホールド２０ｂとが接着されている。
【００３４】
アクチュエータ１０は、長尺状の非圧電性セラミック基板上に、分極方向が相反する圧電性セラミックス層を設けてなるセラミック部材で、インクに与える圧力変化を発生させる部材である。
【００３５】
アクチュエータ１０には、ダイヤモンドブレード等により切削加工された複数のチャネル１２ａ、１２ｂが形成されている。ここでは、非圧電性セラミック基板の両面に分極方向が相反する圧電性セラミックス層を設けてセラミック部材を構成し、このセラミック部材の両面にそれぞれ切削加工を施すことにより、上下２列のチャネル１２ａ、１２ｂをそれぞれ多数並列形成させて高密度化を図った態様を示している。個々のチャネル１２ａ、１２ｂは、直線状の細長い溝形状に切削されて、削り残した圧電性セラミックが隣接するチャネル１２ａと１２ａとの間の隔壁１３ａ及びチャネル１２ｂと１２ｂとの間の隔壁１３ｂを構成している（図３参照）。各チャネル１２ａ、１２ｂの深さは、図１中で右にいくにつれて徐々に浅くなって、ついには消滅する。チャネル１２ａ、１２ｂの内面の一部には金属電極（図示せず）が形成されている。
【００３６】
また、各チャネル１２ａ、１２ｂの上から、それぞれ非圧電性セラミック基板等からなるカバー基板１４ａ、１４ｂが接着され、各チャネル１２ａ、１２ｂの上方の大部分を塞いでいる。
【００３７】
非圧電性セラミック基板として、アルミナ、窒化アルミニウム、ジルコニア、シリコン、窒化シリコン、シリコンカーバイド、石英の少なくとも１つから選ばれることが好ましく、隔壁１３ａ、１３ｂをせん断変形させても分極した圧電性セラミックを確実に支持することができる。
【００３８】
圧電性セラミックとして、ＰＺＴ、ＰＬＺＴ等のセラミックで、主にＰｂＯｘ、ＺｒＯｘ、ＴｉＯｘの混合微結晶体に、ソフト化剤又はハード化剤として知られる微量の金属酸化物、例えばＮｂ、Ｚｎ、Ｍｇ、Ｓｎ、Ｎｉ、Ｌａ、Ｃｒ等の酸化物を含むものが好ましい。
【００３９】
ＰＺＴは、チタン酸ジルコン酸鉛であり、充填密度が大きく、圧電性定数が大きく、加工性が良いので好ましい。ＰＺＴは、焼成後、温度を下げると、急に結晶構造が変化して、原子がズレ、片側がプラス、反対側がマイナスという双極子の形の、細かい結晶の集まりになる。こうした自発分極は方向がランダムで、極性を互いに打ち消しあっているので、更に分極処理が必要となる。
【００４０】
分極処理は、ＰＺＴの薄板を電極で挟み、シリコン油中に漬けて、１０〜３５ｋｖ／ｃｍ程度の高電界を掛けて、分極する。分極したＰＺＴに分極方向に直角に電圧を掛けると、側壁が圧電滑り効果により、斜め方向に、くの字形に、せん断変形して、インク室の容積が膨張する。
【００４１】
金属電極の材料としては、金、銀、アルミニウム、パラジウム、ニッケル、タンタル、チタンを用いることができ、特に、電気的特性、加工性の点から、金、アルミニウムが良く、メッキ、蒸着、スパッタで形成される。各金属電極は、各チャネル１２ａ、１２ｂの内部から、浅溝部分を通ってアクチュエータ１０の後方（右端）側の上面及び下面まで引き出され、それぞれ各チャネル１２ａ、１２ｂ内の金属電極に電圧印加するための電極部となる接続用電極部１５ａ、１５ｂとされている。
【００４２】
図１において、アクチュエータ１０の左端には、ノズルプレート１１が接着されている。ノズルプレート１１には各チャネル１２ａ、１２ｂの位置に対応するノズル１１ａ、１１ｂが設けられていて、ＰＥＴ等のポリアルキレンテレフタレート、ポリイミド、ポリエーテルイミド、ポリエーテルケトン、ポリエーテルスルホン、ポリカーボネート、酢酸セルロース等のプラスチックスによって形成されている。
【００４３】
図３ではチャネル１２ａ、１２ｂの一部が示されている。個々のチャネル１２ａ、１２ｂは、直線状の細長い溝形状に切削されて、隔壁１３ａ、１３ｂを備えている。この隔壁１３ａ、１３ｂがせん断変形することでチャネル１２ａ、１２ｂの圧力変化が発生する。また、チャネル１２ａ、１２ｂの配列方向は、上下の各列でその長手方向と直行する向きに平行移動した方向であり、各列におけるチャネル１２ａ、１２ｂは互いに等間隔に配列されている。
【００４４】
図１において、アクチュエータ１０の右端には、各チャネル１２ａ、１２ｂに対応する信号線を纏めたＦＰＣ（フレキシブル回路基板）等からなる信号線３０ａ、３０ｂが、それぞれ対応する接続用電極部１５ａ、１５ｂにエポキシ系接着剤等によって接着されており、各チャネル１２ａ、１２ｂ内の金属電極と導通している。なお、信号線３０ａ、３０ｂは図２では省略している。
【００４５】
各チャネル１２ａ、１２ｂの隔壁１３ａ、１３ｂは、信号線３０ａ、３０ｂ及び接続用電極部１５ａ、１５ｂを経てインクジェットプリンタ本体（不図示）から供給される駆動信号によりせん断変形し、応力を受けたチャネル１２ａ、１２ｂ内のインクがノズル１１ａ、１１ｂから吐出する。ノズル１１ａ、１１ｂから吐出したインクはチャネル１２ａ、１２ｂの長手方向に向かって飛翔して紙などの記録材に着弾する。
【００４６】
各カバー基板１４ａ、１４ｂには、各チャネル１２ａ、１２ｂの浅溝部分に対応するように開口１４１ａ、１４１ｂが形成されており、この開口１４１ａ、１４１ｂを上から覆うように、第１マニホールド２０ａと第２マニホールド２０ｂがアクチュエータ１０に接着されている。
【００４７】
第１マニホールド２０ａ及び第２マニホールド２０ｂは、アクチュエータ１０との間で略直方体形状の共通インク室２１ａ、２１ｂを形成する部材であり、アクリル、ポリエーテルイミド、変性ＰＰＥ、ポリカーボネート等の合成樹脂材により形成されている。中でも、寸法精度、透過性の点でポリエーテルイミドが好ましい。
【００４８】
これら第１マニホールド２０ａ及び第２マニホールド２０ｂは、上記開口１４１ａ、１４１ｂを覆い、且つこれら開口１４１ａ、１４１ｂと連通する十分な大きさの凹部２１ａ、２１ｂが凹設されており、アクチュエータ１０の左右（各チャネル１２ａ、１２ｂの並列方向）両側部において、これら第１マニホールド２０ａ及び第２マニホールド２０ｂが互いに係合し、両者間にアクチュエータ１０を挟み付けるような形態でそれぞれ接着されている。このようにして第１マニホールド２０ａ及び第２マニホールド２０ｂがアクチュエータ１０に接着された状態で、上記凹部２１ａ、２１ｂによってアクチュエータ１０との間でそれぞれ共通インク室が形成されている。
【００４９】
なお、図２では、第１マニホールド２０ａのみをアクチュエータ１０から分解した状態を示している。
【００５０】
図２おいて、符号２２ａ、２２ｂは、各共通インク室２１ａ、２２ａ内にそれぞれインクを供給するためのインク供給口であり、このインク供給口２２ａ、２２ｂから各共通インク室２１ａ、２１ｂ内に供給されたインクは、開口１４１ａ、１４１ｂを介して各チャネル１２ａ、１２ｂに分配される。
【００５１】
ここで、第１マニホールド２０ａと第２マニホールド２０ｂとは同一であるため、第１マニホールド２０ａを用いて、その構成の詳細について更に図１、図４及び図５を用いて説明する。
【００５２】
第１マニホールド２０ａにおけるアクチュエータ１０との接触面には、アクチュエータ１０との間で形成される共通インク室２１ａの周囲を完全に囲むように溝２３ａが凹設されている。ここで、共通インク室２１ａの周囲を完全に囲むとは、溝２３ａが１本の輪状となって共通インク室２１ａの周囲に凹設され、その溝２３ａのどこにも途切れ部がない状態をいう。
【００５３】
第１マニホールド２０ａのアクチュエータ１０との接触面との反対面には、貫通穴２４ａが開設されており、溝２３ａの内部と連通している。この貫通穴２４ａは、後述する接着剤注入針を挿入し得る程度の丸穴状に開設されている。貫通穴２４ａの大きさは接着剤注入針のサイズにもよるが、その直径は概ね０．５ｍｍ〜２．０ｍｍとされる。
【００５４】
溝２３ａは、貫通穴２４ａから注入された接着剤の流路となると同時に、該溝２３ａ内に満たされた接着剤によってアクチュエータ１０との接着を行う接着部位となる。この溝２３ａがアクチュエータ１０との境界部分において、共通インク室２１ａの周囲を完全に囲むように設けられていることで、共通インク室２１ａの周囲を接着剤によって封止する機能も果たしている。このため、溝２３ａの数は、共通インク室２１ａの周囲を囲むように少なくとも１本形成されていればよいが、ここでは、共通インク室２１ａの周囲を囲むように、略同心状に３本の溝２３ａ、２３ａ、２３ａが凹設されている。
【００５５】
溝２３ａの深さは、０．１ｍｍ〜０．６ｍｍとすることが好ましく、幅は、０．２ｍｍ〜０．５ｍｍとすることが好ましい。
【００５６】
本実施形態のように複数本の溝２３ａ・・・が形成されている場合、貫通穴２４ａは、そのうちの１本の溝２３ａの内部と連通していればよいが、その場合、共通インク室２１ａから最も遠い最外側の溝２３ａと連通していることが好ましい。これにより、貫通穴２４ａから最外側の溝２３ａ内に注入された接着剤が該溝２３ａ内から溢れ、アクチュエータ１０との接触面を通って共通インク室２１ａ側へ流出するようなことがあっても、その流出した接着剤を内側の溝２３ａ内に導入することで、共通インク室２１ａへの流出を防ぐことができる。
【００５７】
更に、複数本の溝２３ａ・・・が形成されている場合には、各溝２３ａ・・・内に接着剤を注入することで、アクチュエータ１０との接着面積を広くとることができる。この場合、各溝２３ａ・・・にそれぞれ貫通穴２４ａを設けるようにしてもよいが、一つの貫通穴２４ａで複数本の溝２３ａ・・・の内部とまとめて連通させるようにすると、一つの貫通穴２４ａからの接着剤の注入作業によって、複数本の溝２３ａ・・・に同時に接着剤を注入させることができるため、接着作業時の作業性にも優れるようになる。
【００５８】
一つの溝２３ａの内部と連通する貫通穴２４ａは一つに限らず、必要に応じて適宜間隔をおいて複数設けるようにしてもよい。複数の貫通穴２４ａを設けた場合は、そのうちのいずれかの貫通穴２４ａを接着剤注入時の空気抜き穴として利用することもできる。
【００５９】
かかる第１マニホールド２０ａをアクチュエータ１０に接着する際の工程について説明すると、まず、第１マニホールド２０ａをアクチュエータ１０の所定の取り付け位置に位置合わせする。このとき、第１マニホールド２０ａとアクチュエータ１０との間には接着剤は介在されていないため、両者の位置合わせは容易であり、簡単に所定の位置に位置合わせすることができる。
【００６０】
第１マニホールド２０ａの位置合わせが完了したら、図５に示すように、貫通穴２４ａに接着剤注入針５０の先端を挿入し、該貫通穴２４ａから接着剤６０を注入する。注入された接着剤６０は、貫通穴２４ａから溝２３ａ内に至り、該溝２３ａとアクチュエータ１０との間に形成される空間に沿って横方向に流通する。この空間の容積は予め判っているため、接着剤注入針５０からこの容積に相当する量の接着剤６０を注入することで、簡単に溝２３ａ内に接着剤を満たすことができる。従って、接着剤６０の注入量の制御をわざわざ目視確認する必要ないと共に、溝２３ａ内部は限られた空間であるため、不必要に多くの接着剤が塗布されることもない。
【００６１】
また、貫通穴２４ａに対する一方向から接着剤の注入を行えばよいだけであるため、オートメーション化にも容易に対応でき、オートメーション化を図る場合にも有利となる。
【００６２】
溝２３ａ内に満たされた接着剤６０は、やがて固化し、第１マニホールド２０ａとアクチュエータ１０とを強固に接着すると共に、第１マニホールド２０ａとアクチュエータ１０との境界部分における共通インク室２１ａの周囲を封止する。
【００６３】
ところで、本実施形態では、第１マニホールド２０ａ及び第２マニホールド２０ｂの後端（図１の右端）は、アクチュエータ１０のカバー基板１４ａ、１４ｂよりも後方に延出しており、アクチュエータ１０の後端側の各接続用電極部１５ａ、１５ｂと対向する面が該各接続用電極部１５ａ、１５ｂとの間隔を狭めるように該接続用電極部１５ａ、１５ｂに向けて突出し、アクチュエータ１０との間で封止用空間部２５ａ、２５ｂを形成している。
【００６４】
各封止用空間部２５ａ、２５ｂは、第１マニホールド２０ａ及び第２マニホールド２０ｂに形成された溝２３ａ、２３ｂの内部と連通しており、該溝２３ａ、２３ｂに注入された接着剤６０の一部は、該溝２３ａ、２３ｂ内を流通し、この封止用空間部２５ａ、２５ｂ内にも流入して該封止用空間部２５ａ、２５ｂを埋めるようになっている。これにより、各封止用空間部２５ａ、２５ｂ内は、貫通穴２４ａ、２４ｂからそれぞれ注入された接着剤６０によって封止され、アクチュエータ１０の後端側での各接続用電極部１５ａ、１５ｂの一部の絶縁が図られている。従って、本実施形態によれば、各接続用電極部１５ａ、１５ｂを個別に絶縁処理する必要がなく、第１マニホールド２０ａ及び第２マニホールド２０ｂの接着作業によって同時に各接続用電極部１５ａ、１５ｂの絶縁を行うことができるため、作業工程の簡略化を図ることができる。
【００６５】
なお、ここでは、各チャネル間の隔壁をせん断変形させることによりインクへ与える圧力変化を発生させる方式のアクチュエータ１０を用いたインクジェットヘッドについて説明したが、本発明において、インクへ与える圧力変化を発生させる方式は何らこれに限定されない。例えば、ピエゾ素子に適当な電気信号を与えることで生じる歪を応用し、その際の変位（力の変動）を利用するもの（ピエゾ方式）や、圧力室内に熱を与えることで生じる膨張圧力を利用するもの（サーマル方式、あるいはバブルジェット（登録商標）方式）等、いずれでもよい。
【図面の簡単な説明】
【００６６】
【図１】本発明に係るインクジェットヘッドの一実施形態を示す断面図
【図２】図１の分解斜視図
【図３】図１における(iii)-(iii)線に沿う部分断面図
【図４】マニホールドの底面図
【図５】マニホールドの接着作業を説明する図
【符号の説明】
【００６７】
１０：アクチュエータ
１１：ノズルプレート
１１ａ、１１ｂ：ノズル
１２ａ、１２ｂ：チャネル
１３ａ、１３ｂ：隔壁
１４ａ、１４ｂ：カバー基板
１４１ａ、１４１ｂ：開口
１５ａ、１５ｂ：接続用電極部
２０ａ：第１マニホールド
２０ｂ：第２マニホールド
２１ａ、２１ｂ：共通インク室
２２ａ、２２ｂ：インク供給口
２３ａ、２３ｂ：溝
２４ａ、２４ｂ：貫通穴
２５ａ、２５ｂ：封止用空間部
３０ａ、３０ｂ：信号線
５０：接着剤注入針
６０：接着剤
【図１】
2005096149.tif 000003
【図２】
2005096149.tif 000004
【図３】
2005096149.tif 000005
【図４】
2005096149.tif 000006
【図５】
2005096149.tif 000007